(57)【要約】      （修正有）【課題】簡易かつ効果的に電気コードの焼損を防止するコードリールを提供する。【解決手段】コードリール１１は、リミットスイッチ２１と押さえ板２３とを備える。リミットスイッチは、ドラム本体１４の胴部１４１の外周面から上下動可能に突出する頭部２１１と、頭部２１１を上方位置に付勢する弾性部材とを有し、頭部２１１が押し下げられて下方位置にあるときに電源コンセントを非通電状態とし、頭部２１１が解放されて弾性部材の付勢力によって上方位置にもたらされたときに電源コンセントを通電状態とする。押さえ板２３は、リミットスイッチ２１の頭部２１１に当接する位置において胴部１４１の外周面の全幅に亘って延びるように配置され、巻き付けられた電気コード１２によって胴部１４１の外周面に近接する外周面近接位置にもたらされるとともに、電気コード１２が巻き付けられていない場合には、リミットスイッチ２１の弾性部材の付勢力により外周面離隔位置に移動する。【選択図】図３
0003214389.tif 000002
【実用新案登録請求の範囲】
【請求項１】
電気コードが巻き付けられる円筒状の胴部と、前記胴部の軸方向一方端に取り付けられ、前記電気コードと電気的に接続された電源コンセントを含む第一側板と、前記胴部の軸方向他方端に取り付けられる第二側板とを有するドラム本体と、
前記ドラム本体を回転可能に支持するスタンドと、
前記胴部の外周面から上下動可能に突出する頭部と、前記頭部を上方位置に付勢する弾性部材とを有し、前記頭部が押し下げられて下方位置にあるときに前記電源コンセントを非通電状態とし、前記頭部が解放されて前記弾性部材の付勢力によって上方位置にもたらされたときに前記電源コンセントを通電状態とするリミットスイッチと、
前記リミットスイッチの前記頭部に当接する位置において、前記胴部の外周面の全幅に亘って延びるように配置される押さえ板とを備え、
前記押さえ板は、巻き付けられた前記電気コードによって前記胴部の外周面に近接する外周面近接位置にもたらされ、前記外周面近接位置に位置するときに前記リミットスイッチの頭部を下方位置に押し下げ、かつ、前記電気コードが巻き付けられていない場合には、前記リミットスイッチの前記弾性部材の付勢力により上方位置にもたらされた前記頭部に押し上げられることによって、前記外周面近接位置よりも前記胴部の外周面から離れた外周面離隔位置に移動する、コードリール。
【請求項２】
前記リミットスイッチの前記弾性部材の付勢力は、前記押さえ板の自重による押し付け力よりも大きい、請求項１に記載のコードリール。
【請求項３】
前記押さえ板は、前記第一側板と前記第二側板との間を幅方向に延びる軸部を支点として回動可能に取り付けられている、請求項１または２に記載のコードリール。
【請求項４】
前記軸部を境として前記押さえ板と逆方向に延び、無負荷状態の場合に、前記ドラム本体の前記胴部の外周面に当接する当接部をさらに有している、請求項３に記載のコードリール。
【考案の詳細な説明】
【技術分野】
【０００１】
本考案は、コードリールに関し、特に、回転ドラムに電気コードを巻き付けて収納するコードリールに関する。
【背景技術】
【０００２】
電源から離隔した作業現場では、電源供給のために、長尺な電気コードと電源コンセントとを備えたコードリールが用いられている。このようなコードリールの一例が実用新案登録第３１７０７７８号公報（特許文献１）に開示されている。コードリールは、ドラム本体（回転ドラム）と、ドラム本体を回転可能に支持するスタンドとを備える。ドラム本体は、電気コードが巻き付けられる円筒状の胴部と、胴部の軸方向一方端に取り付けられ、電気コードと電気的に接続された電源コンセントを含む第一側板と、胴部の軸方向他方端に取り付けられる第二側板とを有する。
【０００３】
電源から作業現場までの距離に応じて、必要となる電気コードの引き出し長さは異なるが、電源コードをドラム本体に巻き付けた状態で通電すると、発熱による電気コードの損傷（焼損）が生じるおそれがある。
【０００４】
多重巻き取り状態での電気コードの損傷を防止するために、特開平８−８３６４０号公報（特許文献２）に示されるように、電気コードを多重に巻き取った状態での通電を不可とするスイッチ機構をもつコードリールが従来から提案されている。このコードリールは、電気コードがケースから引き出されると、リール体の回転に伴って上方に移動するアクチュエータを用いて、リミットスイッチの押しボタン（頭部）を押下させるように構成されており、リミットスイッチが入っている状態（押下状態）においてのみ通電可能となる。
【先行技術文献】
【特許文献】
【０００５】
【特許文献１】実用新案登録第３１７０７７８号公報
【特許文献２】特開平８−８３６４０号公報
【考案の概要】
【考案が解決しようとする課題】
【０００６】
上記特許文献２のように、コードリールにリミットスイッチを設けることにより、電気コードを多重に巻き付けた状態のまま使用することを不可とすることができる。しかしながら、特許文献２の構成においては、電気コードが完全に引き出される前の段階で、つまり、電気コードの一部がまだ巻き付けられた状態のままで、リミットスイッチが押下状態となる可能性があるため、電気コードの焼損を十分に防止することはできなかった。
【０００７】
本考案は、上記のような課題を解決するためになされたものであって、その目的は、簡易かつ効果的に電気コードの焼損を防止することのできるコードリールを提供することである。
【課題を解決するための手段】
【０００８】
この考案のある局面に従うコードリールは、ドラム本体と、スタンドと、リミットスイッチと、押さえ板とを備える。ドラム本体は、電気コードが巻き付けられる円筒状の胴部と、胴部の軸方向一方端に取り付けられ、電気コードと電気的に接続された電源コンセントを含む第一側板と、胴部の軸方向他方端に取り付けられる第二側板とを有する。スタンドは、ドラム本体を回転可能に支持する。リミットスイッチは、胴部の外周面から上下動可能に突出する頭部と、頭部を上方位置に付勢する弾性部材とを有し、頭部が押し下げられて下方位置にあるときに電源コンセントを非通電状態とし、頭部が解放されて弾性部材の付勢力によって上方位置にもたらされたときに電源コンセントを通電状態とする。押さえ板は、リミットスイッチの頭部に当接する位置において、胴部の外周面の全幅に亘って延びるように配置される。この押さえ板は、巻き付けられた電気コードによって胴部の外周面に近接する外周面近接位置にもたらされ、外周面近接位置に位置するときにリミットスイッチの頭部を下方位置に押し下げ、かつ、電気コードが巻き付けられていない場合には、リミットスイッチの弾性部材の付勢力により上方位置にもたらされた頭部に押し上げられることによって、外周面近接位置よりも胴部の外周面から離れた外周面離隔位置に移動する。
【０００９】
好ましくは、リミットスイッチの弾性部材の付勢力は、押さえ板の自重による押し付け力よりも大きい。
【００１０】
好ましくは、押さえ板は、第一側板と第二側板との間を幅方向に延びる軸部を支点として回動可能に取り付けられている。
【００１１】
好ましくは、軸部を境として押さえ板と逆方向に延び、無負荷状態の場合に、ドラム本体の胴部の外周面に当接する当接部をさらに有している。
【考案の効果】
【００１２】
本考案によれば、簡易かつ効果的に電気コードの焼損を防止することができる。
【図面の簡単な説明】
【００１３】
【図１】本考案の実施の形態に係るコードリールを示す正面図である。
【図２】図１に示すコードリールをＩＩ方向から見た側面図である。
【図３】本考案の実施の形態に係るコードリールが備える通電遮断機構を模式的に示す図である。
【図４】本考案の実施の形態において、ドラム本体の胴部に電気コードが巻き付けられたときの通電遮断機構を模式的に示す断面図である。
【図５】本考案の実施の形態において、ドラム本体の胴部に電気コードが巻き付けられていないときの通電遮断機構を模式的に示す断面図である。
【図６】本考案の実施の形態において、リミットスイッチの頭部が上方位置にあるときの電気回路図である。
【図７】本考案の実施の形態において、リミットスイッチの頭部が下方位置にあるときの電気回路図である。
【考案を実施するための形態】
【００１４】
本考案の実施の形態について図面を参照しながら詳細に説明する。なお、図中同一または相当部分には同一符号を付してその説明は繰返さない。
【００１５】
（概略構成について）
まず、図１および図２を参照して、本実施の形態に係るコードリール１１の概略構成について説明する。なお、概略構成の説明において、図１の紙面表側、すなわち図２の紙面左方向を前方という。
【００１６】
本考案の一実施形態に係るコードリール１１は、電源から離隔した作業現場において、電源供給のために用いられる装置であって、外部電源に接続される差し込みプラグ１３を先端に有する長尺な電気コード１２と、電気コード１２を巻き付けて収納するドラム本体１４と、ドラム本体１４を回転可能に支持するスタンド１５とを備える。
【００１７】
ドラム本体１４は、電気コード１２が巻き付けられる円筒状の胴部１４１と、胴部１４１の軸線方向一方端に取り付けられ、胴部１４１よりも大きい外径を有する円板状の第一側板１４２と、胴部１４１の軸線方向他方端に取り付けられ、第一側板１４２と略同じ外径を有する第二側板１４３とを有する。ドラム本体１４の軸線が図２において一点鎖線で示されている。なお、図２の矢印Ａは、ドラム本体１４の軸線方向を示すとともに、胴部１４１の外周面の幅方向を示す。
【００１８】
スタンド１５は、地面に接地するコの字状の土台フレーム１５１と、前方から見て土台フレーム１５１の左右両端から第二側板１４３の中心に向けて延び、第二側板１４３の中心部にて互いに連結する左右のスタンドフレーム１５２，１５３と、左右のスタンドフレーム１５２，１５３の上端連結部から前方に向けて延びる軸フレーム１５４とを有する。
【００１９】
軸フレーム１５４が、第一側板１４２および第二側板１４３に設けられた中心孔に挿通され、これによりドラム本体１４が、スタンド１５に回転可能に支持されている。軸フレーム１５４の中心線がドラム本体１４の軸線を構成する。
【００２０】
スタンド１５は、左右のスタンドフレーム１５２，１５３の上端連結部から上方に延び、所定の高さにて前方へ屈曲して延在する取手フレーム１５５と、取手フレーム１５５の前端に嵌着された取手部１５６とをさらに有する。コードリール１１を運搬する際には、使用者は、この取手部１５６を把持して持ち上げて運搬することができる。
【００２１】
電気コード１２をドラム本体１４から引き出す際には、使用者は、差し込みプラグ１３を把持して外方へ引っ張る。そうすると、ドラム本体１４が軸フレーム１５４を中心に回転し、電気コード１２がドラム本体１４の外方へ長尺に引き出される。また、電気コード１２を収納する際には、使用者は、第一側板１４２の前面に設けられたハンドル１９を把持し、電気コードの引き出し方向と反対方向に回転させる。そうすると、電気コード１２がドラム本体１４の胴部１４１に巻き付けられて図２に示すように収納される。
【００２２】
本実施形態に係るコードリール１１においては、第一側板１４２に、複数の電源コンセント１６と、通電状態を報知するための電源ランプ１７とが設けられている。コードリール１１が屋外型である場合には、電源コンセント１６を覆うコンセントキャップが設けられていてもよい。
【００２３】
電源コンセント１６は、電気コード１２と電気的に接続されており、（通電状態のときに）作業現場にて用いられる作業機器の差し込みプラグが挿入されると、電気コード１２を介して外部電源から供給される電圧を作業機器へと中継する。なお、電源コンセント１６の個数は特に限定されない。
【００２４】
電源ランプ１７は、外部電源からの電圧が電源コンセント１６に通電した通電状態となったときに点灯する。なお、第一側板１４２にはさらに、漏電遮断器１８が設けられていてもよい。
【００２５】
このコードリール１１において、電気コード１２はドラム本体１４の胴部１４１の外周面に螺旋状に巻き付けられる。図２に示されるように、電気コード１２が完全に巻き付けられた状態において、胴部１４１の外周面の略全体が電気コード１２によって覆われる。なお、図２には、電気コード１２が、胴部１４１の軸方向に隙間なく巻き付けられた理想的な例が示されており、実際には、電気コード１２が隙間を有して巻き付けられる場合がある。
【００２６】
本実施の形態に係るコードリール１１は、電気コード１２がドラム本体１４から完全に引き出されて解放された場合にのみ、電源コンセント１６の通電を可能とする通電遮断機構を備えている。通電遮断機構は、電源コンセント１６を通電状態または非通電状態に切り替える。通電遮断機構の具体例について、以下に詳細に説明する。
【００２７】
（通電遮断機構について）
図３〜図５を参照して、本実施の形態における通電遮断機構２０について説明する。図３は、コードリール１１の側面図であり、通電遮断機構を模式的に示す図である。なお、図３においては、理解を容易にするために、ドラム本体１４の胴部１４１に巻き付けられた電気コード１２のうち、図３の紙面表側に表われる電気コード１２の図示を省略している。図４は、ドラム本体１４の胴部１４１に電気コード１２が巻き付けられたときの通電遮断機構２０を模式的に示す断面図である。図４は、図３のＩＶ−ＩＶ線に沿うコードリール１１の断面図に相当する。図５は、ドラム本体１４の胴部１４１に電気コード１２が巻き付けられていないときの通電遮断機構２０を模式的に示す断面図である。
【００２８】
通電遮断機構２０は、ドラム本体１４の胴部１４１の外周面に設けられたリミットスイッチ２１と、リミットスイッチ２１に当接するようにドラム本体１４に取り付けられた押さえ板２３とを含む。
【００２９】
リミットスイッチ２１は、胴部１４１の外周面から上下動可能に突出する頭部２１１と、頭部２１１を上方位置に付勢する弾性部材としてのバネ２１２とを有する。リミットスイッチ２１は、頭部２１１が押し下げられて下方位置にあるときに電源コンセント１６を非通電状態とする。一方、頭部２１１が解放されてバネ２１２の付勢力によって上方位置にもたらされたときに、電源コンセント１６を通電状態とする。バネ２１２の付勢力は、押さえ板２３の自重による押し付け力よりも大きい。
【００３０】
リミットスイッチ２１の頭部２１１が上方位置にあるときの電気回路が図６に示される。図６において、電気回路の接点は閉状態となっており、電源コンセント１６は通電状態である。このとき、電源ランプ１７は点灯する。リミットスイッチ２１の頭部２１１が下方位置にあるときの電気回路が図７に示される。図７において、電気回路の接点は開状態となっており、電源コンセント１６は非通電状態である。このとき、電源ランプ１７は点灯しない。
【００３１】
押さえ板２３は、リミットスイッチ２１の頭部２１１に当接する位置において、胴部１４１の外周面の全幅に亘って延びるように配置されている。つまり、押さえ板２３の横幅寸法Ｌ２は、胴部１４１の外周面の幅寸法（軸方向寸法）Ｌ１と略等しい。具体的には、押さえ板２３の横幅寸法Ｌ２は、胴部１４１の外周面の幅寸法Ｌ１と同じか、それよりも若干短い。なお、押さえ板２３の横幅方向端縁と胴部１４１の幅方向端縁との間の間隔（すなわち、押さえ板２３と第一側板１４２または第二側板１４３との間の隙間）は、ゼロに近いことが望ましいが、少なくとも、電気コード１２の外径寸法未満であればよい。
【００３２】
押さえ板２３は、ヒンジレバーのように回動可能に取り付けられている。具体的には、第一側板１４２と第二側板１４３との間を幅方向に延びる軸部２２を支点として回動可能に取り付けられている。軸部２２の一端は第一側板１４２に固定され、軸部２２の他端は第二側板１４３に固定される。軸部２２は、ドラム本体１４の胴部１４１の外周面との間に間隔をあけて配置される。なお、軸部２２は、ブラケット等を介して胴部１４１に固定されてもよい。
【００３３】
本実施の形態では、胴部１４１の円周方向における一部分に、胴部１４１の外周面に沿って押さえ板２３が設けられるため、収納時には、押さえ板２３の上から電気コード１２が巻き付けられる。
【００３４】
図４に示されるように、押さえ板２３は、巻き付けられた電気コード１２によって胴部１４１の外周面に近接する外周面近接位置にもたらされる。このとき、押さえ板２３は、リミットスイッチ２１の頭部２１１を下方位置に押し下げる（バネ２１２を縮める）ため、電源コンセント１６は非通電状態となる。
【００３５】
押さえ板２３の自由端側には、押さえ板２３が外周面近接位置に位置するときに、胴部１４１の外周面に当接する当接部２５を有していてもよい。当接部２５は、たとえば板状に形成され、押さえ板２３の軸部２２とは反対側の端縁（図４において押さえ板２３の下側端縁）に連なって設けられている。
【００３６】
一方、電気コード１２が巻き付けられていない場合には、押さえ板２３は、リミットスイッチ２１のバネ２１２の付勢力により上方位置にもたらされた頭部２１１に押し上げられる。これにより、押さえ板２３は、図５に示されるように、外周面近接位置よりも胴部１４１の外周面から離れた外周面離隔位置に移動する。
【００３７】
押さえ板２３の支点側にも、無負荷状態の場合、すなわち押さえ板２３が外周面離隔位置に位置するときに、胴部１４１の外周面に当接する当接部２４を有していることが望ましい。この当接部２４は、軸部２２を境として押さえ板２３と逆方向に延びる。当接部２４もまた、たとえば板状に形成され、押さえ板２３の軸部２２側の端縁（図５において押さえ板２３の上側端縁）に連なって設けられている。
【００３８】
このように、本実施の形態では、リミットスイッチ２１のＯＮ／ＯＦＦが、ドラム本体１４の胴部１４１の外周面の全幅に亘る長さ（横幅寸法Ｌ２）を有する押さえ板２３が、ドラム本体１４に取り付けられている。そのため、電気コード１２が胴部１４１から完全に解放されない限り、リミットスイッチ２１の頭部２１１が押さえ板２３によって押し下げられたままとなる。つまり、電気コード１２が胴部１４１から完全に解放されない限り、リミットスイッチ２１はＯＮとならない。したがって、電気コード１２が隙間のある巻き方で胴部１４１に巻き付けられていたとしても、確実に、リミットスイッチ２１をＯＦＦとすることができる。その結果、本実施の形態のコードリール１１によれば、簡易かつ効果的に電気コード１２の焼損を防止することができる。
【００３９】
また、押さえ板２３の支点側端部および自由端側端部にそれぞれ当接部２４，２５が設けられているため、押さえ板２３の回動範囲を規制することができる。これにより、リミットスイッチ２１の頭部２１１の挙動を安定させることができる。また、通電遮断機構２０が支点側の当接部２４を有することにより、ハンドル１９を操作して電気コード１２を胴部１４１に巻き付ける際に、押さえ板２３のバタつきを防止できるため、電気コード１２を押さえ板２３の上から適切に巻き付けることができる。
【００４０】
また、リミットスイッチ２１の頭部２１１が、押さえ板２３、当接部２４，２５、および、ドラム本体１４の第一および第二側板１４２，１４３によって囲まれた空間に配置されているため、コードリール１１を屋外で使用しても、リミットスイッチ２１を粉塵等から保護することができる。なお、コードリール１１が屋外型である場合には、リミットスイッチ２１、軸部２２、押さえ板２３、および当接部２４，２５は、錆や埃に強い材料（たとえば樹脂）により構成されていることが望ましい。
【００４１】
なお、図３においては、リミットスイッチ２１の頭部２１１が、胴部１４１の外周面の幅方向中央位置に設けられる例を示したが、リミットスイッチ２１の頭部２１１の位置は特に限定されない。
【００４２】
また、図３においては、押さえ板２３の形状が略矩形形状である例を示したが、押さえ板２３は、リミット２１の頭部２１１に当接する部分と、胴部１４１の外周面の全幅に亘って延びる部分との両方を有していれば、矩形形状でなくてもよい。
【００４３】
また、本実施の形態では、押さえ板２３が軸部２２を支点として回動可能に取り付けられる例を示したが、限定的ではない。押さえ板２３は、たとえば、胴部１４１の外周面に対する姿勢を固定としたまま、外周面近接位置および外周面離隔位置に変位（移動）可能となるように取り付けられていてもよい。
【００４４】
今回開示された実施の形態はすべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
【符号の説明】
【００４５】
１１  コードリール、１２  電気コード、１３  差し込みプラグ、１４  ドラム本体、１５  スタンド、１６  電源コンセント、１７  電源ランプ、１８  漏電遮断器、１９  ハンドル、２０  通電遮断機構、２１  リミットスイッチ、２２  軸部、２３  押さえ板、２４，２５  当接部、１４１  胴部、１４２  第一側板、１４３  第二側板、１５１  土台フレーム、１５２，１５３  スタンドフレーム、１５４  軸フレーム、１５５  取手フレーム、１５６  取手部、２１１  頭部、２１２  バネ。
【図１】
0003214389.tif 000003
【図２】
0003214389.tif 000004
【図３】
0003214389.tif 000005
【図４】
0003214389.tif 000006
【図５】
0003214389.tif 000007
【図６】
0003214389.tif 000008
【図７】
0003214389.tif 000009